(57)【要約】【課題】スチールコードレスクローラの新たな芯金であり、芯金の翼部に棒材（リンク）に対して引っ掛かりを形成し、円形空域内に円柱形のリンクを挿入して連結することにより、リンク式クローラを製作するものである。【解決手段】スプロケット係合部と翼部と一対の突起が形成されたスチ−ルコ−ドレスクロ−ラの芯金であり、翼部から芯金の前後に伸びる一対の膨出部が形成され、隣り合って配置される芯金は一方の膨出部が順次上下に重なり合い、他方の膨出部が上下逆順に重なり合い、膨出部の重なり部位が上下に半球状の凹みａ、ｂを形成し、対向する凹みａ、ｂにて略円形の空域を構成し、当該空域内に棒材を挿入して順次連結された芯金。４Ａ、４Ｂ‥膨出部、４Ａａ、４Ｂａ‥膨出部の上側、４Ａｂ、４Ｂｂ‥膨出部の上側、４ａ、４ｂ‥膨出部の先端、５‥棒材、Ｓ‥略円形の空域、ａ、ｂ、ｃ‥凹み。【選択図】図８
2007050771.tif 000002
【特許請求の範囲】
【請求項１】
スプロケット係合部と、この左右より伸びる翼部と、スプロケット係合部を挟んで一対の突起が形成された芯金であって、左右の翼部から芯金の前後に伸びる一対の膨出部が形成され、隣り合って配置される芯金は一方の膨出部が順次上下に重なり合い、かつ、他方の膨出部が上下逆順に重なり合い、当該膨出部の重なり部位が上下に半球状の凹みａ、ｂを形成し、当該対向する凹みａ、ｂにて略円形の空域を構成し、当該空域内に棒材を挿入して順次連結されることを特徴とするスチールコードレスクローラの芯金。
【請求項２】
前記半球状の凹みａ、ｂにあって、翼部側にこの凹みａ、ｂに連続した凹みｃを備えた請求項１記載のスチールコードレスクローラの芯金。
【請求項３】
前記凹みｃ内に、対向する膨出部の先端が納まる構造とした請求項１又は２記載のスチールコードレスクローラの芯金。
【請求項４】
膨出部の先端が棒材の中心よりも反対側にまで延長された請求項３記載のスチールコードレスクローラの芯金。
【請求項５】
前記突起が芯金の前後に千鳥状にずらして備えられ、突起の先端が芯金の前後より突出させた請求項１乃至４いずれか１記載のスチールコードレスクローラの芯金。
【請求項６】
突起がずらされた側と逆側に舌片が形成され、前記突出した突起と重なる長さとした請求項１乃至５いずれか１記載のスチールコードレスクローラの芯金。
【請求項７】
スプロケット係合部と、この左右より伸びる翼部と、スプロケット係合部を挟んで一対の突起が形成された芯金であって、左右の翼部から芯金の前後に伸びる一対の膨出部が形成され、隣り合って配置される芯金は一方の膨出部が順次上下に重なり合い、かつ、他方の膨出部が上下逆順に重なり合い、当該膨出部の重なり部位が上下に半球状の凹みａ、ｂを形成し、この半球状の凹みａ、ｂにあって、翼部側にこの凹みａ、ｂに連続した凹みｃを備え、当該対向する凹みａ、ｂにて略円形の空域を構成し、当該空域内に棒材を挿入し、かつ、対向する膨出部の先端が前記棒材の中心よりも反対側にまで延長され、当該膨出部の先端が前記凹みｃ内に納まる構造として順次連結されたことを特徴とするスチールコードレスクローラの芯金。
【発明の詳細な説明】
【技術分野】
【０００１】
本発明はリンク式クローラの芯金に関するものであり、スチールコードを用いない新しい芯金に関するものである。
【背景技術】
【０００２】
リンク式クローラは土木作業機械や建設機械の走行部として広く用いられており、一般の構造としては、一定のピッチをもって芯金が埋設され、これを外囲いしてスチールコードがその長手方向に同時に埋設された構造となっている。スプロケットは各芯金に係合しつつ駆動力を伝達して走行に供されるものである。
【０００３】
さて、近年に至って、スチールコードを埋設しない構造のクローラ（スチールコードレスクローラ）が提案されており、例えば特許文献１が公知である。
【０００４】
【特許文献１】特開２０００ー３１３３７１号公報
【０００５】
かかる文献にて開示されているクローラの芯金は、転輪の通過面を確保するための一対の金具、この金具を連結しスプロケットとの係合に供される円柱材、この円柱材を連結支持するための金具を結合したものであって、部品点数が多く、結合がやっかいなのが欠点である。
【０００６】
本出願人は、既にスチールコードレスクローラを提案している。その第１は、芯金の翼部に穴を開け、この穴間にＣ型リンクで締結した形式のものであり、第２は、芯金の翼部先端が円柱形になっており、そこにＯ型リンクを掛けた形式のものである。
【０００７】
しかしながら、既提案のクローラにあっても場合によっては更に改良が必要なケースもあり、第１の芯金の場合は翼部の幅が広くなるため、ショートピッチ用には不向きであり、リンクの単価が高いという点が言われている。第２の場合は、芯金からリンクが外れる可能性があり、かつ、耐脱輪性に課題があると言われている。更に、クローラの使用の際、応力集中のために芯金が折れるのではないかという点が言われている。
【発明の開示】
【発明が解決しようとする課題】
【０００８】
本発明は上記したスチールコードレスクローラの新たな芯金を提供するものであり、芯金が分離することがほとんどなく、しかもその組み合わせが容易であるという芯金を提供するものである。
【課題を解決するための手段】
【０００９】
本発明の要旨は、スプロケット係合部と、この左右より伸びる翼部と、スプロケット係合部を挟んで一対の突起が形成された芯金であって、左右の翼部から芯金の前後に伸びる一対の膨出部が形成され、隣り合って配置される芯金は一方の膨出部が順次上下に重なり合い、かつ、他方の膨出部が上下逆順に重なり合い、当該膨出部の重なり部位が上下に半球状の凹みａ、ｂを形成し、当該対向する凹みａ、ｂにて略円形の空域を構成し、当該空域内に棒材を挿入して順次連結されたことを特徴とするスチールコードレスクローラの芯金に係るものである。
【００１０】
更に具体的には、スプロケット係合部と、この左右より伸びる翼部と、スプロケット係合部を挟んで一対の突起が形成された芯金であって、左右の翼部から芯金の前後に伸びる一対の膨出部が形成され、隣り合って配置される芯金は一方の膨出部が順次上下に重なり合い、かつ、他方の膨出部が上下逆順に重なり合い、当該膨出部の重なり部位が上下に半球状の凹みａ、ｂを形成し、この半球状の凹みａ、ｂにあって、翼部側にこの凹みａ、ｂに連続した凹みｃを備え、当該対向する凹みａ、ｂにて略円形の空域を構成し、当該空域内に棒材を挿入し、かつ、対向する膨出部の先端が前記棒材の中心よりも反対側にまで延長され、当該膨出部の先端が前記凹みｃ内に納まるようにして連結された芯金である。
【発明の効果】
【００１１】
本発明は芯金の翼部に棒材（リンク）に対して引っ掛かりを形成し、これによって構成された円形空域内に円柱形のリンクを挿入して連結することにより、リンク式クローラを製作するものであり、スチールコードレス芯金として従来の技術にない特徴、例えば、部品点数の減少、製作の容易性、強度アップ、軽量化等が実現できたものである。
【発明を実施するための最良の形態】
【００１２】
本発明にあって、最も特徴とするところは、翼部より前後に膨出部を備え、その先端部に半球状の凹みを上下反対向きに形成し、隣り合う芯金同士にてこの凹みを合わせて円形の空域を形成し、この空域内に棒材（リンク）を挿入して連結したものである。この膨出部は翼部の前後のいずれの部位にも備えることができるが、なるべく突起に近づけて備えるのがよく、これによってリンクの挿入が容易となり、更に、この膨出部が転輪の走行部となることができる。
【００１３】
凹みａ、ｂ、ｃ及び膨出部について言えば、これを合わせて円形の空域を形成するものであり、更にこの凹みａ、ｂの翼部側にこの凹みａ、ｂに連続した凹みｃを備え、翼部側の空域を広げておくのがよい。この凹みｃ内に対向する膨出部の先端が嵌り込むようにするものである。芯金がリンクを中心に回動する際に、対向する膨出部の先端が突き当たらないようにするためである。そして、これによってリンクの周囲を完全に覆うことができスムーズな回転性と両者の分離ができにくくなるという特徴がもたらされる。尚、膨出部の先端が前記棒材の中心よりも反対側にまで延長しておくことによって両者の分離がよりできにくくなる。
【００１４】
尚、前記突起が芯金の前後に千鳥状にずらし、その先端が芯金の前後より突出させることが振動防止のためには好ましく、更には、突起がずらされた側と逆側に舌片が形成され、前記突出した突起と重なる長さとした芯金が好ましい。この突起の底面と舌片とを重なり合わせることによって外力によって芯金が捩じられた場合にその捩じれを阻止する機能を付加したものがよい。かかる舌片は構造によってはリンクの外れ防止機能をも合わせもつものである。
【実施例】
【００１５】
以下、本発明の芯金の好適例をもって更に詳細に説明する。図１は本発明の芯金の内面側平面図、図２は正面図、図３は側面図である。図４はａ−ａ線での断面端図、図５はｂ−ｂ線での断面端図である。１は芯金の中央部をなすスプロケット係合部、２Ａ、２Ｂはこの左右より伸びる翼部、３Ａ、３Ｂはスプロケット係合部１を挟んで形成された突起であり、この例では、突起３Ａ、３Ｂは翼部２Ａ、２Ｂの前後に千鳥状にずらして形成されている。
【００１６】
さて、左右の翼部２Ａ、２Ｂから芯金の前後に伸びる一対の膨出部４Ａ、４Ｂが形成され、隣り合って配置される芯金は一方の膨出部４Ａ、４Ａが順次上下（４Ａａ、４Ａｂ及び４Ｂａ、４Ｂｂ）に重なり合い、かつ、他方の膨出部４Ｂ、４Ｂが上下逆順に重なり合い、当該膨出部４Ａ、４Ｂの重なり部位が上下に半球状の凹みａ、ｂを形成し、当該対向する凹みａ、ｂにて略円形の空域Ｓを構成し、当該空域Ｓ内に棒材５を挿入して順次連結される芯金である。前記空域Ｓを構成する半球状の凹みａ、ｂには更に凹みｃを備えたものであり、後述する膨出部４Ａ、４Ｂの先端が納まる構造としたものである。
【００１７】
膨出部４Ｂ、４Ｂには半球状の凹みａ、ｂを形成するが、その先端４ａ、４ｂは棒材５の中心よりも反対側にまで延長された構造となっている。この先端４ａ、４ｂは前記した凹みｃ内に納まるものであり、棒材５の外れが防止されると共に、凹みｃは走行時における芯金の回転や曲げをスムーズにするものである。
【００１８】
あて、この例にあっては、突起３Ａ、３Ｂが芯金の前後に千鳥状にずらして備えられ、突起３Ａ、３Ｂの先端が芯金の前後より突出させた構造となっている。そして、この突起３Ａ、３Ｂがずらされた側と逆側に舌片６Ａ、６Ｂが形成され、前記突出した突起３Ａ、３Ｂと重なる長さとしたものである。この舌片６Ａ、６Ｂは突起３Ａ、３Ｂと重なり合って芯金の捩じれを阻止する構造となっている。尚、空域Ａに差し込まれる棒材５の抜けを防止する役割をもなしている。
【００１９】
図６は本発明の芯金を連結した際の内面側平面図であり、図７は膨出部４Ｂ、４Ｂにおける断面端図である。隣り合う芯金似合っては、膨出部４Ｂ、４Ｂが夫々重なり合い空域Ａ内に棒材５が左右の幅方向より差し込まれて連結される。一方、舌片６Ａ、６Ｂは突起３Ａ、３Ｂの突出部と重なり合っている。図８は芯金が棒材５に対して回転した際の状態を示した図であり、膨出部４Ｂ、４Ｂの先端４ａ、４ｂが凹みｃ内に納まって回転するものである。
【産業上の利用可能性】
【００２０】
本発明はスチールコードレス芯金にかかるものであり、スチールコードの切断が生じることはなく、芯金の連結にあっても製作工程が簡単でしかも部品点数が少ないという特徴があり、コスト的にも優れたものであり、土木作業機械や建設作業機械に好適な芯金が提供できたものである。
【図面の簡単な説明】
【００２１】
【図１】図１は本発明の芯金の内面側平面図である。
【図２】図２は正面図である。
【図３】図３は側面図である。
【図４】図４はａ−ａ線での端面図である。
【図５】図５はｂ−ｂ線での端面図である。
【図６】図６は本発明の芯金を連結した際の内面側平面図である。
【図７】図７は図６の膨出部における断面端図である。
【図８】図８は芯金の回転状態を示す膨出部における断面端図である。
【符号の説明】
【００２２】
１‥スプロケット係合部、
２Ａ、２Ｂ‥翼部、
３Ａ、３Ｂ‥突起、
４Ａ、４Ｂ‥膨出部、
４Ａａ、４Ｂａ‥膨出部の上側、
４Ａｂ、４Ｂｂ‥膨出部の上側、
４ａ、４ｂ‥膨出部の先端、
５‥棒材、
６Ａ、６Ｂ‥舌片、
Ｓ‥略円形の空域、
ａ、ｂ、ｃ‥凹み。
【図１】
2007050771.tif 000003
【図２】
2007050771.tif 000004
【図３】
2007050771.tif 000005
【図４】
2007050771.tif 000006
【図５】
2007050771.tif 000007
【図６】
2007050771.tif 000008
【図７】
2007050771.tif 000009
【図８】
2007050771.tif 000010